(57)【要約】【課題】  プランジャのシリンダへの組み付け方向に関わらずプランジャの脱落を防ぐことの可能な高圧ポンプを提供する。【解決手段】高圧ポンプ１のポンプボディ１１は、シリンダ１０の深部に形成される加圧室１５を有する。シリンダ１０の内側に往復移動可能に設けられるプランジャ４０は、加圧室１５の容積を可変する。吐出通路１９及び供給通路１８は、加圧室１５からシリンダ１０の径方向に延びるようにポンプボディ１１に形成される。加圧室１５に位置するプランジャ４０の端部に設けられたピン６０は、プランジャ４０の径方向の一方へ向けてシリンダ１０の内周よりも外側へ突出する。これにより、内燃機関に高圧ポンプ１を取り付ける前の状態で、シリンダ１０と加圧室１５との段差部分３６にピン６０が係止され、プランジャ４０はシリンダ１０からの脱落が防がれる。【選択図】図１
2016133056.tif 000002
【特許請求の範囲】
【請求項１】
シリンダ（１０）と、
前記シリンダの深部に前記シリンダよりも内径が大きい加圧室（１５）を有するポンプボディ（１１）と、
前記シリンダの内側に往復移動可能に設けられ、前記加圧室の容積を可変するプランジャ（４０）と、
前記加圧室から前記シリンダの径方向に延びるように前記ポンプボディに形成された燃料通路（１８，１９）と、
前記加圧室に位置する前記プランジャの端部から径方向の一方へ向けて前記シリンダの内周よりも外側へ突出する凸部（６０，６１，６８）と、を備えることを特徴とする高圧ポンプ。
【請求項２】
前記シリンダと前記ポンプボディとは一体に形成され、
前記ポンプボディは、前記加圧室の前記プランジャとは反対側を塞いでいることを特徴とする請求項１に記載の高圧ポンプ。
【請求項３】
前記凸部は、前記加圧室に突出する前記プランジャの端部に形成された孔（４３）又はねじ孔（４４）に固定される柱状部材（６０，６１）であることを特徴とする請求項１または２に記載の高圧ポンプ。
【請求項４】
前記柱状部材は、前記加圧室に突出する前記プランジャの端部に形成された前記孔に圧入固定されるピン（６０）であることを特徴とする請求項３に記載の高圧ポンプ。
【請求項５】
前記柱状部材は、前記加圧室に突出する前記プランジャの端部に形成された前記ねじ孔に螺合するねじ（６１）であることを特徴とする請求項３に記載の高圧ポンプ。
【請求項６】
前記柱状部材は、前記プランジャの前記孔又は前記ねじ孔の内壁に設けられた段差（４７）に当接する当接面（６５）を有し、前記段差と前記当接面とが当接することにより、前記柱状部材が前記プランジャの外壁から外側に突出する突出量が規定されることを特徴とする請求項３から５のいずれか一項に記載の高圧ポンプ。
【請求項７】
前記凸部（６８）は、前記加圧室に突出する前記プランジャの端部に形成された窪み（６７）の周囲に形成されていることを特徴とする請求項１または２に記載の高圧ポンプ。
【請求項８】
請求項１から７のいずれか一項に記載の高圧ポンプを製造する製造装置において、
前記ポンプボディを設置する設置台（７０）と、
前記燃料通路から前記加圧室に向けて挿し込まれ、前記加圧室に突出する前記プランジャの端部に前記凸部を形成可能な第１治具（７１）と、を備えることを特徴とする製造装置。
【請求項９】
前記第１治具が差し込まれる前記燃料通路とは別に前記ポンプボディに形成された第２燃料通路から前記加圧室に挿し込まれる第２治具（７２）を備え、
前記第２治具は、前記プランジャの軸方向の端部に当接可能な位置決め部（７４）を有することを特徴とする請求項８に記載の製造装置。
【請求項１０】
前記第２治具は、前記凸部が前記プランジャの外壁から外側に突出する突出量を規定する凹部（７５）を有することを特徴とする請求項９に記載の製造装置。
【請求項１１】
請求項１から７のいずれか一項に記載の高圧ポンプの製造方法において、
前記ポンプボディを設置台に設置する設置工程（Ｓ１，Ｓ１１，Ｓ２１）と、
前記シリンダに前記プランジャを挿入する挿入工程（Ｓ２，Ｓ１２，Ｓ２２）と、
前記燃料通路から前記加圧室に向けて第１治具を差し込み、前記加圧室に突出する前記プランジャの端部に前記凸部を形成する凸部形成工程（Ｓ３，Ｓ１３，Ｓ２３）と、を含むことを特徴とする高圧ポンプの製造方法。
【請求項１２】
前記凸部は、前記加圧室に突出する前記プランジャの端部に形成された孔又はねじ孔に固定される柱状部材であり、
前記凸部形成工程は、第１治具の押圧または回転により、前記プランジャの前記孔又は前記ねじ孔から前記プランジャの外側に前記柱状部材を所定量突出させることを特徴とする請求項１１に記載の高圧ポンプの製造方法。
【請求項１３】
前記挿入工程の際、前記第１治具が差し込まれる前記燃料通路とは別の第２燃料通路から前記加圧室に第２治具を差し込み、前記第２治具が有する位置決め部と前記プランジャとを当接することにより、前記プランジャの軸方向の位置を定めることを特徴とする請求項１１または１２に記載の高圧ポンプの製造方法。
【請求項１４】
前記凸部形成工程の際、前記第１治具が差し込まれる前記燃料通路とは別の第２燃料通路から前記加圧室に第２治具を差し込み、前記第２治具が有する凹部に前記凸部を当接させることにより、前記凸部の突出量を規定することを特徴とする請求項１１から１３のいずれか一項に記載の高圧ポンプの製造方法。
【請求項１５】
前記凸部形成工程の際、前記第１治具が差し込まれる前記燃料通路とは別の第２燃料通路から前記加圧室に向けて第２治具を差し込み、前記第２治具により前記プランジャを保持することを特徴とする請求項１１から１４のいずれか一項に記載の高圧ポンプの製造方法。
【発明の詳細な説明】
【技術分野】
【０００１】
本発明は、内燃機関に用いられる高圧ポンプ及びその製造方法に関する。
【背景技術】
【０００２】
従来、内燃機関に燃料を供給する燃料供給系統に設けられ、燃料を加圧する高圧ポンプが知られている。
高圧ポンプは、シリンダの内側に設けられたプランジャの往復移動により、シリンダの深部に形成された加圧室の容積を可変し、燃料を加圧する。加圧室で加圧された燃料は、そこに連通する吐出通路から吐出される。
【０００３】
特許文献１に記載された高圧ポンプの一つの実施例では、加圧室に露出するプランジャの径外側にリング状の部材が嵌合している。この高圧ポンプは、内燃機関に取り付ける前の状態で、そのリング状の部材が加圧室とシリンダとの段差部分に係止されることにより、シリンダからプランジャが脱落することが防がれている。
【０００４】
また、特許文献１に記載された高圧ポンプの別の実施例では、シリンダ内に位置する部分のプランジャの外径よりも、シリンダの加圧室とは反対側に突出する部分のプランジャの外径が小さく形成され、プランジャは、その外径が変化する箇所に段差を有している。この高圧ポンプも、内燃機関に取り付ける前の状態で、そのプランジャの段差がポンプボディの段差部分に係止されることにより、シリンダからプランジャが脱落することが防がれている。
【先行技術文献】
【特許文献】
【０００５】
【特許文献１】特開２００３−６５１７５号公報
【発明の概要】
【発明が解決しようとする課題】
【０００６】
ところで、特許文献１に記載の高圧ポンプは、加圧室への燃料の供給を制御する吸入弁ユニットが、加圧室のプランジャとは反対側に設けられている。吸入弁ユニットは、ポンプボディに対し着脱可能に設けられている。したがって、この高圧ポンプの構成では、ポンプボディに吸入弁ユニットを組み付ける前に、加圧室側からシリンダにプランジャを挿し込むことが可能である。
【０００７】
しかしながら、特許文献１に記載の高圧ポンプは、上述した吸入弁ユニットにより、シリンダの軸方向の体格が大型化している。仮に、特許文献１に記載の高圧ポンプにおいて、吸入弁ユニットを設置する位置をシリンダの径方向に変更し、加圧室のプランジャとは反対側をポンプボディで塞いだ場合、いずれの実施例のプランジャも、シリンダの加圧室とは反対側の開口部からシリンダに組み付けることは困難である。
【０００８】
本発明は、上記問題に鑑みてなされたものであり、プランジャのシリンダへの組み付け方向に関わらずプランジャの脱落を防ぐことの可能な高圧ポンプ及びその製造方法を提供することを目的とする。
【課題を解決するための手段】
【０００９】
第１発明は、高圧ポンプの発明である。高圧ポンプは、シリンダ、ポンプボディ、プランジャ、燃料通路及び凸部を備える。
ポンプボディは、シリンダの深部にシリンダよりも内径が大きい加圧室を有する。シリンダの内側に往復移動可能に設けられるプランジャは、加圧室の容積を可変する。燃料通路は、加圧室からシリンダの径方向に延びるようにポンプボディに形成される。凸部は、加圧室に位置するプランジャの端部から径方向の一方へ向けてシリンダの内周よりも外側へ突出する。
これにより、内燃機関に高圧ポンプを取り付ける前の状態で、シリンダと加圧室との段差部分に凸部が係止され、プランジャはシリンダからの脱落が防がれる。
【００１０】
第２発明は、高圧ポンプの製造装置の発明である。この製造装置は、設置台及び第１治具を備える。設置台は、ポンプボディを設置する。第１治具は、燃料通路から加圧室に向けて挿し込まれ、加圧室に突出するプランジャの端部に凸部を形成可能である。
【００１１】
第３発明は、高圧ポンプの製造方法の発明である。この製造方法は、挿入工程及び凸部形成工程を含む。挿入工程は、シリンダにプランジャを挿入する。凸部形成工程は、燃料通路から加圧室に向けて第１治具を差し込み、加圧室に突出するプランジャの端部に凸部を形成する。
【００１２】
第２発明による製造装置及び第３発明による製造方法は、加圧室のプランジャとは反対側がポンプボディにより塞がれた形状の高圧ポンプであっても、プランジャの端部に凸部を形成することが可能である。
【図面の簡単な説明】
【００１３】
【図１】本発明の第１実施形態による高圧ポンプの断面図である。
【図２】図１のＩＩ部分の拡大図である。
【図３】第１実施形態の高圧ポンプの製造工程のフローチャートである。
【図４】高圧ポンプの製造時の状態を示す断面図である。
【図５】図４のＶ−Ｖ線におけるプランジャ等の断面図である。
【図６】高圧ポンプの製造時の状態を示す断面図である。
【図７】高圧ポンプの製造時の状態を示す断面図である。
【図８】図７のＶＩＩＩ部分の拡大図である。
【図９】内燃機関に取り付ける状態の高圧ポンプの断面図である。
【図１０】図９のＸ部分の拡大図である。
【図１１】本発明の第２実施形態による高圧ポンプの部分断面図である。
【図１２】図１１のＸＩＩ−ＸＩＩ線におけるプランジャ等の断面図である。
【図１３】第２実施形態の高圧ポンプの製造工程のフローチャートである。
【図１４】高圧ポンプの製造時の状態を示す断面図である。
【図１５】図１５のＸＶ−ＸＶ線の部分断面図である。
【図１６】本発明の第３実施形態による高圧ポンプの部分断面図である。
【図１７】図１６のＸＶＩＩ−ＸＶＩＩ線におけるプランジャ等の断面図である。
【図１８】第３実施形態の高圧ポンプの製造工程のフローチャートである。
【図１９】高圧ポンプの製造時の状態を示す断面図である。
【図２０】第１比較例の高圧ポンプを内燃機関に取り付ける状態を示す断面図である。
【図２１】第２比較例の高圧ポンプを内燃機関に取り付ける状態を示す断面図である。
【発明を実施するための形態】
【００１４】
以下、本発明の複数の実施形態を図面に基づいて説明する。なお、複数の実施形態において、実質的に同一の構成には、図面に同一の符号を付して説明を省略する。
（第１実施形態）
本発明の第１実施形態による高圧ポンプを図１〜図１０に示す。本実施形態の高圧ポンプ１は、内燃機関のエンジンブロック２に取り付けられ、燃料タンクから汲み上げられた燃料を加圧し、デリバリパイプに圧送する。デリバリパイプに蓄圧された燃料は、インジェクタから内燃機関の各気筒に噴射供給される。
【００１５】
図１に示すように、高圧ポンプ１は、シリンダ１０、ポンプボディ１１、プランジャ４０、供給通路１８、吐出通路１９、及び柱状部材としてのピン６０等を備えている。
図１では、シリンダ１０とポンプボディ１１の境界を概念的に破線１１０で示しているが、本実施形態では、シリンダ１０とポンプボディ１１は一体に形成されている。なお、シリンダ１０とポンプボディ１１は別体で構成してもよい。
ポンプボディ１１は、内燃機関のエンジンブロック２に形成されたボア３に嵌合可能な筒状の嵌合部１２を有する。ポンプボディ１１は、図１の一点鎖線１３で示した位置に設けられる図示していないボルトにより、エンジンブロック２に固定される。その際、嵌合部１２の外側に設けられた当接面１４がエンジンブロック２に当接する。
【００１６】
ポンプボディ１１は、シリンダ１０の深部に形成される加圧室１５を有する。この加圧室１５は、プランジャ４０と反対側がポンプボディ１１によって塞がれている。
図２に示すように、加圧室１５の内径Ｄ１は、シリンダ１０の内径Ｄ２よりも僅かに大きく形成されている。そのため、加圧室１５とシリンダ１０の内壁との接続箇所には、テーパ状の段差部分３６が形成されている。
図１に示すように、ポンプボディ１１には、加圧室１５のシリンダ１０とは反対側にダンパ室１６が形成されている。ダンパ室１６には、パルセーションダンパ１７が設けられている。パルセーションダンパ１７は、２枚の金属ダイアフラムの内部に所定圧の気体が密封され、その２枚の金属ダイアフラムがダンパ室１６の圧力変化に応じて弾性変形することで、ダンパ室１６の燃圧脈動を低減する。
【００１７】
ポンプボディ１１には、加圧室１５からシリンダ１０の径方向に延びる供給通路１８と吐出通路１９が形成されている。本実施形態の吐出通路１９が特許請求の範囲に記載の「燃料通路」の一例に相当し、供給通路１８が「第２燃料通路」の一例に相当する。
供給通路１８には、吸入弁ユニット２０が設けられている。吸入弁ユニット２０は、供給通路１８に設けられた弁座２１に対し、吸入弁２２が離座又は着座することにより、加圧室１５と供給通路１８とを連通又は遮断する。吸入弁２２は、電磁駆動部により駆動制御される。電磁駆動部は、固定コア２３、コイル２４、可動コア２５、シャフト２６およびスプリング２７等により構成される。本実施形態の吸入弁２２はノーマリオープンタイプであり、コネクタ端子２８からコイル２４へ通電されると、可動コア２５がスプリング２７の付勢力に抗して固定コア２３側へ磁気吸引され、吸入弁２２を開弁方向へ付勢するシャフト２６の付勢力が解除される。
【００１８】
吐出通路１９には、吐出弁ユニット２９が設けられている。吐出弁ユニット２９は、吐出通路１９に設けられた弁座３０に対し、吐出弁３１が離座又は着座することにより、加圧室１５と吐出通路１９とを連通又は遮断する。吐出弁３１は、加圧室１５側の燃料から吐出弁３１が受ける力が、弁座３０より下流側の燃料から吐出弁３１が受ける力とスプリング３２の弾性力との和よりも大きくなると、弁座３０から離座する。これにより、加圧室１５から吐出通路１９を通り、燃料出口３３から燃料が吐出される。
【００１９】
円筒状に形成されたシリンダ１０の内側には、プランジャ４０が軸方向に往復移動可能に収容されている。プランジャ４０は、ダンパ室１６側へ移動することにより加圧室１５の容積を小さくし、燃料を加圧する。また、プランジャ４０は、ダンパ室１６とは反対側へ移動することにより加圧室１５の容積を大きくし、供給通路１８から加圧室１５へ燃料を吸入する。
【００２０】
プランジャ４０の加圧室１５とは反対側の端部にスプリング座４１が固定されている。そのスプリング座４１と、ポンプボディ１１に固定されたホルダ５２との間に、プランジャスプリング４２が設けられている。このプランジャスプリング４２は、スプリング座４１と共にプランジャ４０を加圧室１５とは反対側へ付勢している。スプリング座４１は、内燃機関のボア３に入れられたリフタ４に嵌合している。
リフタ４は、円筒状の筒部５、その筒部５の軸方向の中間部分に設けられた仕切板６、及びその仕切板６を挟んでスプリング座４１の反対側に設けられたローラー７を有している。筒部５の外壁は、内燃機関のボア３の内壁に摺接している。ローラー７は、内燃機関のボア３の深部に設けられたカム８に摺接する。カム８は、内燃機関の吸・排気弁を駆動するカムシャフトまたはクランクシャフトと共に回転する。カム８の回転により、リフタ４がボア３の内側を往復移動し、それに伴って、リフタ４の仕切板６に当接するプランジャ４０がシリンダ１０内を軸方向に往復移動する。
【００２１】
シリンダ１０の加圧室１５とは反対側の端部には、環状のスペーサ５０が設けられている。このスペーサ５０に対し加圧室１５とは反対側に燃料シール５１が設けられている。燃料シール５１は、プランジャ４０の周囲の燃料油膜の厚さを規制し、プランジャ４０の摺動による内燃機関側への燃料のリークを抑制する。
【００２２】
燃料シール５１に対し加圧室１５とは反対側にホルダ５２が設けられている。ホルダ５２は、ポンプボディ１１側に延び、シリンダ１０の周囲のポンプボディ１１に設けられた陥凹部３４に固定される。
ホルダ５２の加圧室１５とは反対側の端部には、オイルシール５３が装着されている。オイルシール５３は、プランジャ４０の周囲のオイル油膜の厚さを規制し、プランジャ４０の摺動による内燃機関側からのオイルの浸入を抑制する。
【００２３】
図２に示すように、加圧室１５に突出するプランジャ４０の端部には孔４３が設けられている。この孔４３は、プランジャ４０の軸に垂直な方向にプランジャ４０を貫通している。この孔４３の内側に、柱状部材としてのピン６０が圧入固定されている。このピン６０は、プランジャ４０の外壁から径方向の一方へ突出している。
本実施形態のピン６０がプランジャ４０の外壁から突出している部分６９は、特許請求の範囲に記載の「凸部」の一例に相当する。
ピン６０は、シリンダ１０の内周よりも外側に突出しており、且つ、加圧室１５の内壁に接触しない程度に突出している。そのため、内燃機関に高圧ポンプ１を取り付ける前の状態で、シリンダ１０と加圧室１５とを接続する段差部分３６にピン６０が係止される。これにより、プランジャ４０のシリンダ１０からの脱落が防がれると共に、プランジャスプリング４２が圧縮された状態で保持される。
【００２４】
次に、高圧ポンプ１の製造装置について、図４から図８を参照して説明する。
高圧ポンプ１の製造装置は、設置台７０、第１治具７１および第２治具７２を備えている。
設置台７０は、高圧ポンプ１のポンプボディ１１を設置することが可能である。
第１治具７１は、高圧ポンプ１の吐出通路１９から加圧室１５に向けて挿し込むことが可能な治具である。図８に示すように、第１治具７１は、先端部分７３の外径がプランジャ４０の孔４３の内径よりも細く形成されている。そのため、この第１治具７１は、プランジャ４０の孔４３に圧入されたピン６０の先端を、プランジャ４０の外壁から外側へ押し出すことが可能である。
図６に示すように、第２治具７２は、設置台７０と一体に形成されている。第２治具７２は、供給通路１８から加圧室１５に挿し込むことが可能な治具である。第２治具７２は、加圧室１５内でプランジャ４０の軸方向の端部に当接可能な位置決め部７４を有している。そのため、この第２治具７２の位置決め部７４とプランジャ４０とを当接させることにより、プランジャ４０の軸方向の位置を定めることが可能である。
【００２５】
また、図８に示すように、第２治具７２は、プランジャ４０の径方向の外壁に当接する面に、プランジャ４０の外壁から所定量凹む凹部７５を有している。第２治具７２は、凹部７５により、プランジャ４０の外壁から外側にピン６０が突出する突出量を規定することが可能である。
この構成により、製造装置は、高圧ポンプ１のプランジャ４０に圧入したピン６０を、そのプランジャ４０の外壁から所定量突出させることが可能である。これにより、このピン６０には、プランジャ４０の外壁から所定量突出した部分６９が形成される。
【００２６】
次に、高圧ポンプ１の製造方法について、図３から図８を参照して説明する。
なお、図面に記載のフローチャートでは、ステップをＳと表記する。
まず、ステップ１の設置工程では、図４に示すように、ポンプボディ１１を設置台７０に設置すると共に、供給通路１８から加圧室１５に第２治具７２を差し込む。
次に、ステップ２の挿入工程では、図４の矢印に示すように、シリンダ１０にプランジャ４０を挿入する。このとき、図５に示すように、ピン６０は軸方向の両端がプランジャ４０の外壁から外側へ突出することなく、プランジャ４０の孔４３の内側に収容されている。
図６に示すように、プランジャ４０をシリンダ１０から加圧室１５まで挿入すると、プランジャ４０の軸方向の端部が第２治具７２の位置決め部７４に当接することにより、プランジャ４０の軸方向の位置が定められる。
続いて、ステップ３の凸部形成工程では、吐出通路１９から加圧室１５に向けて第１治具７１を差し込み、第１治具７１の先端部分７３をプランジャ４０の孔４３に入れる。そして、図７及び図８に示すように、第１治具７１の先端部分７３でピン６０を押圧する。これにより、第１治具７１とは反対側のピン６０の先端が、プランジャ４０の孔４３から外へ押し出される。このとき、プランジャ４０の孔４３から押し出されたピン６０の先端は、第２治具７２の凹部７５に当接する。これにより、プランジャ４０の外壁からピン６０が突出した部分６９の突出量が規定される。      
【００２７】
その後、図９及び図１０に示すように、内燃機関のエンジンブロック２に形成されたボア３に高圧ポンプ１を取り付ける。図９及び図１０では、エンジンブロック２に対しポンプボディ１１をボルト１３により締結する前の状態を示している。この状態で、加圧室１５とシリンダ１０との段差部分３６にピン６０が係止され、プランジャスプリング４２は所定量圧縮されている。そのため、ポンプボディ１１の嵌合部１２がエンジンブロック２のボア３に嵌まり込んでいる。したがって、ボルト締結時におけるプランジャスプリング４２の圧縮量が小さくなるので、ポンプボディ１１をエンジンブロック２に容易にボルト締結することが可能である。
【００２８】
第１実施形態では、次の作用効果を奏する。
（１）第１実施形態の高圧ポンプ１は、加圧室１５に位置するプランジャ４０の端部に設けられたピン６０が、プランジャ４０の外壁から径方向の一方へ向けて、シリンダ１０の内周よりも外側へ突出する。
これにより、内燃機関に高圧ポンプ１を取り付ける前の状態で、ピン６０がシリンダ１０と加圧室１５との段差部分３６に係止されるので、プランジャ４０はシリンダ１０からの脱落が防がれる。そのため、高圧ポンプ１は、プランジャスプリング４２を所定量収縮させた状態でポンプボディ１１に組み付けることが可能である。したがって、高圧ポンプ１を内燃機関にボルト締結する際、そのプランジャスプリング４２をさらに圧縮する長さが短くなるので、作業効率を高めることができる。
【００２９】
（２）第１実施形態の高圧ポンプ１は、加圧室１５のプランジャ４０とは反対側をポンプボディ１１が塞いでいる。
これにより、高圧ポンプ１は、加圧室１５に燃料を供給する吸入弁ユニット２０を、加圧室１５のプランジャ４０とは反対側に設けることの無い構成となる。そのため、この高圧ポンプ１は、シリンダ１０の軸方向の体格を小さくすることが可能である。
【００３０】
（３）第１実施形態の高圧ポンプ１は、加圧室１５に突出するプランジャ４０の端部に形成された孔４３に柱状部材としてのピン６０が圧入固定される。
これにより、ピン６０をプランジャ４０に容易に固定することが可能である。
【００３１】
（４）第１実施形態の高圧ポンプ１の製造装置は、吐出通路１９から加圧室１５に向けて挿し込まれる第１治具７１により、プランジャ４０の孔４３に圧入されたピン６０をプランジャ４０の孔４３から押し出すことが可能である。
これにより、加圧室１５のプランジャ４０とは反対側がポンプボディ１１により塞がれた形状の高圧ポンプ１であっても、プランジャ４０の孔４３からピン６０を突出させることが可能である。
【００３２】
（５）第１実施形態の高圧ポンプ１の製造装置は、吐出通路１９から加圧室１５に挿し込まれる第２治具７２が、プランジャ４０の軸方向の端部に当接可能な位置決め部７４を有する。
これにより、位置決め部７４とプランジャ４０とが当接することにより、プランジャ４０の軸方向の位置が定まる。そのため、第１治具７１の先端部分７３をプランジャ４０の孔４３に容易に入れることが可能である。
【００３３】
（６）第１実施形態の高圧ポンプ１の製造装置は、第２治具７２が、プランジャ４０の外壁から外側にピン６０が突出する突出量を規定する凹部７５を有する。
これにより、ピン６０の突出量が正確に定まるので、高圧ポンプ１の使用時に、加圧室１５の内壁とピン６０が接触することを防ぐことができる。
【００３４】
（７）第１実施形態の高圧ポンプ１の製造方法は、凸部形成工程において、吐出通路１９から加圧室１５に向けて第１治具７１を差し込み、プランジャ４０の孔４３に圧入されたピン６０をその孔４３から押し出す。
これにより、加圧室１５のプランジャ４０とは反対側がポンプボディ１１により塞がれた形状の高圧ポンプ１であっても、プランジャ４０の孔４３からピン６０を突出させることが可能である。
【００３５】
（８）第１実施形態の高圧ポンプ１の製造方法は、挿入工程において、第２治具７２が有する位置決め部７４とプランジャ４０とを当接することにより、プランジャ４０の軸方向の位置を定める。
これにより、第１治具７１の先端部分７３をプランジャ４０の孔４３に容易に入れることが可能である。
【００３６】
（９）第１実施形態の高圧ポンプ１の製造方法は、凸部形成工程において、第２治具７２が有する凹部７５にピン６０を当接する。
これにより、ピン６０の突出量が正確に規定される。そのため、高圧ポンプ１の使用時に、加圧室１５の内壁とピン６０の突出部分６９とが接触することを防ぐことができる。
【００３７】
（第１比較例）
ここで、第１比較例について図２０を参照して説明する。第１比較例の高圧ポンプ１０１は、プランジャ４００が大径の大柱部４０１と、その大柱部４０１よりも外径が小さい小柱部４０２を有している。大柱部４０１は、シリンダ１０の内側に挿入されている。小柱部４０２は、シリンダ１０の加圧室１５とは反対側に突出している。プランジャ４００は、大柱部４０１と小柱部４０２の接続する箇所に段差４０３を有している。
シリンダ１０の加圧室１５とは反対側の端部に設けられた環状のスペーサ５０は、その内径がプランジャ４００の小柱部４０２に対応するものとなっている。そのため、この第１比較例の高圧ポンプ１０１は、内燃機関に取り付ける前の状態で、プランジャ４００の段差４０３がスペーサ５０に係止されることにより、シリンダ１０からプランジャ４００が脱落することが防がれている。
【００３８】
ところで、一般に、高圧ポンプ１０１は、カム８の回転によりプランジャ４００がシリンダ１０内を往復移動する際、カム８の回転方向にプランジャ４００が押し付けられる為、プランジャはシリンダ内で傾きながら往復動する。第１比較例の高圧ポンプ１０１は、大柱部４０１と小柱部４０２の接続箇所に段差４０３を有しており、シリンダの内壁とは段差の角部で接する。この場合、例えカムによる押し付け力が同じ大きさであっても、プランジャが上昇するに従い、角部に作用する反力は大きくなっていく。一方、第一実施形態のプランジャ４０は、シリンダの内壁とは、シリンダ端の角部で接する。この場合、カムによる押し付け力が同じの場合、プランジャが上昇するに従い、接触部に作用する反力は小さくなっていく。そのため、第１比較例の高圧ポンプ１０１は、第１実施形態のプランジャ４０と比べて、プランジャ４００の耐焼き付き性が低下することが懸念される。
【００３９】
（第２比較例）
次に、第２比較例について図２１を参照して説明する。第２比較例の高圧ポンプ１０２のプランジャ４０は、第１実施形態のプランジャ４０と同様に、その外径が軸方向に同一に形成された所謂ストレートプランジャ４０４である。しかし、第２比較例の高圧ポンプ１０２は、ストレートプランジャ４０４の脱落を防ぐ構成を備えていない。そのため、この高圧ポンプ１０２を内燃機関のボア３に取り付ける際、プランジャスプリング４２が自由長まで伸びているので、ポンプボディ１１の嵌合部１２がボア３に嵌合していない状態から、ポンプボディ１１のボルト締結を行うことになる。したがって、この高圧ポンプ１０２は、プランジャスプリング４２を圧縮してポンプボディ１１の嵌合部１２をボア３に嵌合する作業と、ポンプボディ１１をエンジンブロック２にボルト締結する作業を同時に行わなければならないので、作業性が悪化するおそれがある。
【００４０】
（第２実施形態）
続いて、本発明の第２実施形態を図１１から図１５に基づいて説明する。
図１１及び図１２に示すように、第２実施形態では、加圧室１５に突出するプランジャ４０の端部にねじ孔４４が設けられている。ねじ孔４４は、内径が大きい大筒部４５、及び、その大筒部４５よりも内径が小さい小筒部４６を有している。また、このねじ孔４４は、大筒部４５と小筒部４６との間に段差４７を有している。大筒部４５には、その内壁に雌ねじ４８が形成されている。
【００４１】
プランジャ４０のねじ孔４４の内側に、柱状部材としてのねじ６１が螺合している。ねじ６１は、大筒部４５の雌ねじ４８に螺合する大径部６２、及び小筒部４６の内側に挿入可能な小径部６３を有する。大径部６２の外壁には、大筒部４５の内壁に形成された雌ねじ４８に螺合する雄ねじ６４が形成されている。また、ねじ６１は、大径部６２と小径部６３との間に当接面６５を有している。図１５に示すように、ねじ６１の当接面６５がプランジャ４０のねじ孔４４の段差４７に当接した状態で、ねじ６１の小径部６３は、小筒部４６からプランジャ４０の外壁の外側に突出する。
本実施形態のねじ６１がプランジャ４０の外壁から径方向の一方へ突出している部分６９は、特許請求の範囲に記載の「凸部」の一例に相当する。
【００４２】
ねじ孔４４の段差４７とねじ６１の当接面６５との当接により、プランジャ４０の外壁から外側へ小径部６３が突出する部分６９の突出量が規定される。小径部６３は、シリンダ１０の内周よりも外側に突出しており、且つ、加圧室１５の内壁に接触しない程度に突出している。そのため、内燃機関に高圧ポンプ１を取り付ける前の状態で、シリンダ１０と加圧室１５とを接続する段差部分３６にねじ６１の小径部６３が係止される。これにより、プランジャ４０のシリンダ１０からの脱落が防がれると共に、プランジャスプリング４２が圧縮された状態で保持される。
【００４３】
次に、高圧ポンプ１の製造方法について、図１３から図１５を参照して説明する。
まず、ステップ１１の設置工程とステップ１２の挿入工程は、第１実施形態で説明した工程と同じである。なお、挿入工程の際、ねじ６１は、プランジャ４０の外壁から外側へ突出することなく、プランジャ４０のねじ孔４４の内側に収容されている。
ステップ１３の凸部形成工程では、図１４に示すように、吐出通路１９から加圧室１５に向けて第１治具７１を差し込む。
ここで、図１５に示すように、第２実施形態では、第１治具７１の先端部分７６が例えば六角柱または四角柱などの角柱に形成されている。この第１治具７１の先端部分７６は、ねじ６１の大径部６２に形成された角穴６６に嵌合可能である。したがって、凸部形成工程では、図１４の矢印Ｒに示すように、第１治具７１を軸周りに回転することにより、第１治具７１の先端部分７６とねじ６１の角穴６６との嵌合によりねじ６１が回転し、ねじ６１の小径部６３がプランジャ４０の外壁から径方向の一方へ突出する。このとき、ねじ孔４４の段差４７とねじ６１の当接面６５とが当接し、小径部６３の突出量が規定される。
その後、内燃機関のエンジンブロック２に形成されたボア３に高圧ポンプ１を取り付ける。
【００４４】
第２実施形態では、次の作用効果を奏する。
（１）第２実施形態の高圧ポンプ１は、加圧室１５に位置するプランジャ４０の端部に設けられたねじ６１が、プランジャ４０の外壁から径方向の一方へ向けて、シリンダ１０の内周よりも外側へ突出する。
これにより、内燃機関に高圧ポンプ１を取り付ける前の状態で、ねじ６１がシリンダ１０と加圧室１５との段差部分３６に係止されるので、プランジャ４０はシリンダ１０からの脱落が防がれる。そのため、高圧ポンプ１は、プランジャスプリング４２を所定量収縮させた状態でポンプボディ１１に組み付けることが可能である。
【００４５】
（２）第２実施形態の高圧ポンプ１は、加圧室１５に突出するプランジャ４０の端部に形成されたねじ孔４４に柱状部材としてのねじ６１が螺合する。
これにより、ねじ６１をプランジャ４０に容易に固定することが可能である。
【００４６】
（３）第２実施形態の高圧ポンプ１は、ねじ孔４４の内壁に設けられた段差４７とねじ６１の当接面６５とが当接することにより、プランジャ４０の外壁から外側にねじ６１が突出する突出量が規定される。
これにより、ねじ６１の突出量が正確に規定されるので、高圧ポンプ１の使用時に、加圧室１５の内壁とねじ６１の突出部分６９とが接触することを防ぐことができる。
【００４７】
（４）第２実施形態の高圧ポンプ１の製造方法では、凸部形成工程において、第１治具７１の回転により、プランジャ４０のねじ孔４４からプランジャ４０の外側にねじ６１を所定量突出させる。
これにより、プランジャ４０の外壁に、ねじ６１による突出部分６９を容易に設けることが可能である。
【００４８】
（第３実施形態）
続いて、本発明の第３実施形態を図１６から図１９に基づいて説明する。
図１６及び図１７に示すように、第３実施形態では、加圧室１５に突出するプランジャ４０の端部には、窪み６７の周囲に凸部６８が形成されている。凸部６８は、窪み６７の周りに環状に形成されていてもよく、又は、その窪み６７の周りの一部のみに形成されていてもよい。
本実施形態の凸部６８は、特許請求の範囲に記載の「凸部」の一例に相当する。
【００４９】
凸部６８は、シリンダ１０の内周よりも外側に突出しており、且つ、加圧室１５の内壁に接触しない程度に突出している。そのため、内燃機関に高圧ポンプ１を取り付ける前の状態で、シリンダ１０と加圧室１５とを接続する段差部分３６に凸部６８が係止される。これにより、プランジャ４０のシリンダ１０からの脱落が防がれると共に、プランジャスプリング４２が圧縮された状態で保持される。
【００５０】
次に、高圧ポンプ１の製造方法について、図１８及び図１９を参照して説明する。
まず、ステップ２１の設置工程とステップ２２の挿入工程は、第１実施形態で説明した工程と同じである。なお、挿入工程の際、プランジャ４０は円柱状であり、その外壁に凸部６８は形成されていない。
また、図１９に示すように、第３実施形態では、第２治具７２の加圧室１５側の端部７７は、プランジャ４０の径方向の外壁に当接可能な円弧状である。そのため、挿入工程の際、第２治具７２の端部７７とプランジャ４０の径方向の外壁とが当接する。
【００５１】
ステップ３の凸部形成工程では、図１９の矢印Ｐに示すように、吐出通路１９から加圧室１５に向けて第１治具７１を差し込み、第１治具７１の先端部７８によりプランジャ４０を押圧する。このとき、第２治具７２の端部７７は、プランジャ４０の第１治具７１とは反対側の面を保持する。
ここで、第３実施形態では、第１治具７１の先端部７８が例えば円錐または角錐などの先細り状に形成されている。なお、第１治具７１の先端部７８の最先端には、丸みがつけられている。
そのため、凸部形成工程では、第１治具７１の先端部７８でプランジャ４０を押圧することより、プランジャ４０に窪み６７が形成されると共に、その窪み６７周りに凸部６８が形成される。
その後、内燃機関のエンジンブロック２に形成されたボア３に高圧ポンプ１を取り付ける。
【００５２】
第３実施形態では、次の作用効果を奏する。
（１）第３実施形態の高圧ポンプ１は、加圧室１５に突出するプランジャ４０の端部に形成された窪み６７の周囲に凸部６８が形成されている。
これにより、凸部６８とプランジャ４０を一体に構成することにより部品点数を低減し、且つ、プランジャ４０に凸部６８を容易に設けることが可能である。
【００５３】
（２）第３実施形態の高圧ポンプ１の製造方法は、凸部形成工程において、第２治具７２によりプランジャ４０を保持する。
これにより、プランジャ４０に凸部６８を形成する際に、第１治具７１の押圧力によってプランジャ４０が変形することを防ぐことができる。
【００５４】
（他の実施形態）
（１）上述した複数の実施形態では、加圧室１５のプランジャ４０とは反対側がポンプボディ１１により塞がれた構成の高圧ポンプ１について説明した。これに対し、他の実施形態では、高圧ポンプ１は、加圧室１５のプランジャ４０とは反対側に吸入弁ユニット２０または吐出弁ユニット２９などを着脱可能に備える構成としてもよい。
【００５５】
（２）上述した複数の実施形態では、吐出通路１９を特許請求の範囲に記載の「燃料通路」とし、供給通路１８を「第２燃料通路」として説明した。これに対し、他の実施形態では、供給通路１８を特許請求の範囲に記載の「燃料通路」とし、吐出通路１９を「第２燃料通路」としてもよい。また、吐出通路１９および供給通路１８の他に、加圧室１５に連通するリリーフ通路などを「燃料通路」又は「第２燃料通路」としてもよい。
【００５６】
（３）上述した第２実施形態では、プランジャ４０のねじ孔４４の内壁に設けた段差４７と、ねじ６１に設けた当接面６５とを当接することによりねじ６１の突出量を規定した。これに対し、他の実施形態では、第１実施形態で説明したプランジャ４０の孔４３の内壁に段差を設け、ピン６０の軸方向の途中に当接面を設け、その段差と当接面を当接することによりピン６０の突出量を規定してもよい。
このように、本発明は、上述した実施形態に限定されるものではなく、上述した複数の実施形態を組み合わせることに加え、発明の趣旨を逸脱しない範囲において、種々の形態で実施することができる。
【符号の説明】
【００５７】
１０・・・シリンダ
１１・・・ポンプボディ
１５・・・加圧室
１８・・・供給通路（燃料通路）
１９・・・吐出通路（燃料通路）
４０・・・プランジャ
６０・・・ピン（凸部）
６１・・・ねじ（凸部）
６８・・・凸部
【図１】
2016133056.tif 000003
【図２】
2016133056.tif 000004
【図３】
2016133056.tif 000005
【図４】
2016133056.tif 000006
【図５】
2016133056.tif 000007
【図６】
2016133056.tif 000008
【図７】
2016133056.tif 000009
【図８】
2016133056.tif 000010
【図９】
2016133056.tif 000011
【図１０】
2016133056.tif 000012
【図１１】
2016133056.tif 000013
【図１２】
2016133056.tif 000014
【図１３】
2016133056.tif 000015
【図１４】
2016133056.tif 000016
【図１５】
2016133056.tif 000017
【図１６】
2016133056.tif 000018
【図１７】
2016133056.tif 000019
【図１８】
2016133056.tif 000020
【図１９】
2016133056.tif 000021
【図２０】
2016133056.tif 000022
【図２１】
2016133056.tif 000023